【手続補正書】
【提出日】平成18年2月1日(2006.2.1)
【手続補正１】
【補正対象書類名】明細書
【補正対象項目名】特許請求の範囲
【補正方法】変更
【補正の内容】
【特許請求の範囲】
【請求項１】  受板と押板を湾曲部を介して一体に形成し、受板上に支持板を立設し、受板と押板が相互に対向する部分に、チューブを挟圧するチューブ挟圧手段を設け、支持板に対し押板を係脱自在に支持することを特徴とする、チューブクリップ。
【請求項２】  該支持板と該湾曲部に、それぞれチューブが緩挿されるチューブ通穴を設け、支持板と湾曲部との間にあって、受板と押板が相互に対向する部分に、該チューブ挟圧手段を設けたことを特徴とする、請求項１記載のチューブクリップ。
【請求項３】  クリップ全体を剛性樹脂材等の剛性材料で一体成形し、湾曲部のチューブ通穴を横切って湾曲部に薄肉部を設け、該薄肉部に押板を開き方向に開拡する習性を付与したことを特徴とする、請求項２記載のチューブクリップ。
【請求項４】  押板が開き位置にある状態で、支持板のチューブ通穴、湾曲部のチューブ通穴にチューブを緩挿し、該チューブに両通穴及び受板側の突起先端を弾力的に接触させ、チューブ面上を摩擦移動自在にしたことを特徴とする、請求項２又は３記載のチューブクリップ。
【請求項５】  チューブ挟圧手段を、受板にチューブを横切る方向に近接して設けた２つの突起と、この２つの突起に対応し、両突起間に先端を臨ませて押板に設けた突起で構成したことを特徴とする、請求項１乃至４のいずれか一の項に記載のチューブクリップ。
【請求項６】  支持板に対応して押板端部に、支持板上半部が緩挿される支持孔を設け、該支持孔縁に係脱する係止爪を支持板上半部の前面に設けるとともに、支持板上半部の基部に、押板の閉じ位置を規制する段部を設けたことを特徴とする、請求項１乃至５のいずれか一の項に記載のチューブクリップ。
【請求項７】  支持板上半部、押板端部及び受板端部にそれぞれ摘み部を形成し、支持板上半部の摘み部は、支持板上半部の端部を前傾く字状に屈曲させてなり、押板端部の摘み部は、支持孔から押板端まで押板端部を上向きに傾斜させてなることを特徴とする、請求項６記載のチューブクリップ。
【手続補正２】
【補正対象書類名】明細書
【補正対象項目名】０００５
【補正方法】変更
【補正の内容】
【０００５】
【発明が解決しようとする課題】
ところで、上記するような従来のチューブクリップは、これが使用されない状態では、チューブから離れて適宜の場所に置かれ、使用するときに使用者によってチューブのところへ持ちだして使用されるため、手早くチューブの挟圧と開放を繰り返すような使用には、取り扱いが煩雑になる面がある。
【手続補正３】
【補正対象書類名】明細書
【補正対象項目名】０００７
【補正方法】変更
【補正の内容】
【０００７】
【課題を解決するための手段】
上記目的を達成するために、本発明のうち請求項１記載の発明は、受板と押板を湾曲部を介して一体に形成し、受板上に支持板を立設し、受板と押板が相互に対向する部分に、チューブを挟圧するチューブ挟圧手段を設け、支持板に対し押板を係脱自在に支持することを特徴とする。また、請求項２記載の発明のように、該支持板と該湾曲部に、それぞれチューブが緩挿されるチューブ通穴を設け、支持板と湾曲部との間にあって、受板と押板が相互に対向する部分に、該チューブ挟圧手段を設けてもよい。
【手続補正４】
【補正対象書類名】明細書
【補正対象項目名】００１１
【補正方法】変更
【補正の内容】
【００１１】
また、本発明のクリップは、請求項３記載の発明のように、クリップ全体を剛性樹脂材等の剛性材料で一体成形し、湾曲部のチューブ通穴を横切って湾曲部に薄肉部を設け、該薄肉部に押板を開き方向に開拡する習性を付与した構成とするのが好ましい。
【手続補正５】
【補正対象書類名】明細書
【補正対象項目名】００１２
【補正方法】変更
【補正の内容】
【００１２】
このように構成すると、チューブの挟圧を開放するのに、支持板に対する押板の係止関係が解かれると、チューブの復元弾力と、クリップの湾曲部の薄肉部に付与された押板の開き方向開拡習性が相乗的に作用し、押板は抵抗なく開き位置まで瞬時に開かれてチューブ内に流体の流動を再開させる。
【手続補正６】
【補正対象書類名】明細書
【補正対象項目名】００１３
【補正方法】変更
【補正の内容】
【００１３】
また、本発明のクリップは、チューブに装着した状態のままで使用されるので、請求項４記載の発明のように、押板が開き位置にある状態で、支持板のチューブ通穴、湾曲部のチューブ通穴にチューブを緩挿し、該チューブを両通穴及び受板側の突起先端に弾力的に接触させ、チューブ面上を摩擦移動自在にした構成とするのが好ましい。
【手続補正７】
【補正対象書類名】明細書
【補正対象項目名】００１４
【補正方法】変更
【補正の内容】
【００１４】
このように構成すると、チューブに対する装着位置、つまり、チューブの挟圧位置を、予め、設定できるので、取り扱い面から請求項１記載に係る発明の作用効果をより実効あるものにする。
【手続補正８】
【補正対象書類名】明細書
【補正対象項目名】００１５
【補正方法】変更
【補正の内容】
【００１５】
本発明のクリップによるチューブの挟圧は、チューブを支持板のチューブ通穴と湾曲部のチューブ通穴に挿通して両通穴の間で行われ、位置ずれを生じることがないので、チューブ挟圧手段としては、対向的に上下から１箇所を挟圧する周知構成のクリップ同様の押え突起形態のものを適用可能とするが、請求項５記載の発明のように、チューブ挟圧手段を、受板にチューブを横切る方向に近接して設けた２つの突起と、この２つの突起に対応し、両突起間に先端を臨ませて押板に設けた突起で構成するのが好ましい。
【手続補正９】
【補正対象書類名】明細書
【補正対象項目名】００１６
【補正方法】変更
【補正の内容】
【００１６】
このように構成すると、チューブの挟圧は、前後する２つの突起の間に反対側から１つの突起が押入する態様で行われ、チューブは側面視においてく字状に屈曲して扁平状に挟圧され、チューブの上下内面を気密的に圧着させる。
【手続補正１０】
【補正対象書類名】明細書
【補正対象項目名】００１７
【補正方法】変更
【補正の内容】
【００１７】
従って、対向的に上下から１箇所を集中的に挟圧力が作用する従来の押え突起形態のものに比べ、挟圧力がチューブ長手方向に分散されるとともに、挟圧部のチューブ内面は屈曲により接合面積が拡がるので、チューブ自体に掛かる圧力負担を軽減することができる。また、チューブの挟圧によるチューブのく字状の屈曲は、支持板のチューブ通穴と湾曲部のチューブ通穴に挿通された部分、つまり、チューブの中だけで生じるので、チューブの挟圧部の屈曲の影響がクリップ外のチューブに及ぶことはなく、チューブの挟圧及び開放に無関係にクリップ前後のチューブの直進性はほぼ一定に保たれる。
【手続補正１１】
【補正対象書類名】明細書
【補正対象項目名】００１８
【補正方法】変更
【補正の内容】
【００１８】
押板端部を支持板に係止させて押板を閉じ位置に支持するには、請求項６記載の発明のように、支持板に対応して押板端部に、支持板上半部が緩挿される支持孔を設け、該支持孔縁に係脱する係止爪を支持板上半部の前面に設けるとともに、支持板上半部の基部に、押板の閉じ位置を規制する段部を設けた構成とするのが好ましい。
【手続補正１２】
【補正対象書類名】明細書
【補正対象項目名】００１９
【補正方法】変更
【補正の内容】
【００１９】
このように構成すると、押板端部が閉じ方向に押圧されると、押板の閉動途中から支持板上半部が支持孔に入り、支持板が弾力的に後方に反って係止爪が支持孔を抜けて係止爪が押板上で支持孔縁に係止する。また、この時点では、支持板両側の段部に押板が当接して押板は閉じ位置に支持される。こうして、押板端部は支持板を介して受板に連結されるので、受板に対し押板は横ずれを生じることはなく、閉じ位置は安定する。
【手続補正１３】
【補正対象書類名】明細書
【補正対象項目名】００２０
【補正方法】変更
【補正の内容】
【００２０】
また、本発明のクリップの使用で、押板端部を閉じ方向に押圧してチューブ内の流体の流動を阻止する時は、受板端部と押板端部を２つの指の指先で摘んで操作し、また、押板端部と支持板との係止関係を解いて押板を開き、チューブを挟圧から開放してチューブ内に流体を流動させる時は、支持板上半部の端部と押板端部を２つの指の指先で摘んで操作される。そこで、請求項７記載の発明のように、支持板上半部、押板端部及び受板端部にそれぞれ摘み部を形成し、支持板上半部の摘み部は、支持板上半部の端部を前傾く字状に屈曲させてなり、押板端部の摘み部は、支持孔から押板端まで押板端部を上向きに傾斜させてなる構成とするのが好ましい。
【手続補正１４】
【補正対象書類名】明細書
【補正対象項目名】００２１
【補正方法】変更
【補正の内容】
【００２１】
このように構成すると、押板端部を閉じ方向に押圧する操作では、２つの指の指先を押板端部と受板端部に掛けて摘み操作するが、これには、一方の指の指先、例えば、人差し指の指先は、斜め上向きに傾斜する押板端部の上面にこの押板端を越えて掛けられるので操作がし易くなる。また、支持板に対する押板の係止関係を解く操作では、２つの指の指先を支持板上半部の端部と押板端部に掛けて摘み操作するが、これには、一方の指の指先、例えば、親指の指先をチューブ上で押板端部に掛け、他方の指の指先、例えば、人差し指の指先は、前傾く字状に屈曲させた支持板上半部の端部に掛けられるので操作がし易くなる。
【手続補正１５】
【補正対象書類名】明細書
【補正対象項目名】００２２
【補正方法】変更
【補正の内容】
【００２２】
また、押板が開き位置にある状態では、押板端部は支持板上半部の端部よりも上方に離されるが、この支持板上半部の端部を、押板端部の支持孔の回動軌跡に臨まることにより、押板端部を閉じ方向に押圧する際に、前傾く字状に屈曲させた支持板上半部の端部の外面が支持板上半部を支持孔内に挿入するガイド面として機能し、支持板上半部を確実に支持孔内に挿入することができる。